(57)【要約】【課題】簡易な封緘装置を提供する。【解決手段】封筒６をその袋部６ｂとフラップ部６ａの折り曲げ箇所で跨架して、一方向にスライドさせ得るガイド部２と、ガイド部をその両側から挟みつつガイド部（２）の上記一方向における末端を超えて伸び、始端側ではガイド部に跨架された封筒の袋部及びフラップ部を導入可能に拡開し、終端側に向かうに連れて徐々に間隔が狭まって封筒の重なり合った袋部とフラップ部とを押圧するように形成された一対の押圧板３，４と、封筒をガイド部上で一方向にスライドさせる間に、封筒のフラップ部に予め塗工された再湿糊部７に水を塗布する水塗布手段５とを包含してなる。【選択図】図１
2012045754.tif 000002
【特許請求の範囲】
【請求項１】
封筒をその袋部とフラップ部の折り曲げ箇所で跨架して、一方向にスライドさせ得るガイド部と、上記ガイド部をその両側から挟みつつ上記ガイド部の上記一方向における末端を超えて伸び、始端側では上記ガイド部に跨架された封筒の袋部及びフラップ部を導入可能に拡開し、終端側に向かうに連れて徐々に間隔が狭まって封筒の重なり合った袋部とフラップ部とを押圧するように形成された一対の押圧板と、上記封筒を上記ガイド部上で一方向にスライドさせる間に、上記封筒の袋部又はフラップ部に予め塗工された再湿糊部に水を塗布する水塗布手段とを包含してなることを特徴とする封緘装置。
【請求項２】
封筒をその袋部とフラップ部の折り曲げ箇所で跨架して、一方向にスライドさせ得るガイド部と、上記ガイド部をその両側から挟みつつ上記ガイド部の上記一方向における末端を超えて伸び、始端側では上記ガイド部に跨架された封筒の袋部及びフラップ部を導入可能に拡開し、終端側に向かうに連れて徐々に間隔が狭まって封筒の重なり合った袋部とフラップ部とを押圧するように形成された一対の押圧板と、上記封筒を上記ガイド部上で一方向にスライドさせる間に、上記封筒の袋部又はフラップ部に封緘用糊を塗布する糊塗布手段とを包含してなることを特徴とする封緘装置。
【請求項３】
請求項１又は請求項２に記載の封緘装置において、上記一対の押圧板が板バネで形成されたことを特徴とする封緘装置。
【請求項４】
請求項１に記載の封緘装置において、上記水塗布手段が保湿部を有し、この保湿部が上記一対の押圧板の一方と上記ガイド部との間に配置され、上記ガイド部上をスライドする封筒の袋部又はフラップ部の再湿糊部に接触することにより、再湿糊部に水が塗布されるようにしたことを特徴とする封緘装置。
【請求項５】
請求項２に記載の封緘装置において、上記糊塗布手段が糊塗布部を有し、この糊塗布部が上記一対の押圧板の一方と上記ガイド部との間に配置され、上記ガイド部上をスライドする封筒の袋部又はフラップ部に接触することにより、封緘用糊が塗布されるようにしたことを特徴とする封緘装置。
【発明の詳細な説明】
【技術分野】
【０００１】
本発明は、封筒の封緘装置に関する。
【背景技術】
【０００２】
従来、封筒を自動的に封緘することができる封緘装置が各種提案されている。これらはいずれもモータ等の駆動源の動力をリンク機構等で各種操作部に伝達し、各操作部によって封筒を搬送したり、封筒のフラップ部を折り曲げたり、糊付けしたりして封筒の封緘を行うようになっている（例えば、特許文献１，２，３参照。）。
【先行技術文献】
【特許文献】
【０００３】
【特許文献１】特開２００６−１５１５１８号公報
【特許文献２】特開平９−５２２９４号公報
【特許文献３】特開平８−１１８８９８号公報
【発明の概要】
【発明が解決しようとする課題】
【０００４】
従来の封緘装置は、動力源やリンク機構等の伝動装置等を有するので、構造が複雑であり、各部の調整も比較的面倒であり、メインテナンスも面倒であるという問題がある。
【０００５】
本発明は、このような問題点を解決することを目的とする。
【課題を解決するための手段】
【０００６】
上記課題を解決するため、本発明は次のような構成を採用する。
【０００７】
なお、本発明の理解を容易にするため図面の参照符号を括弧書きで付するが、本発明はこれに限定されるものではない。
【０００８】
請求項１に係る発明は、封筒（６）をその袋部（６ｂ）とフラップ部（６ａ）の折り曲げ箇所で跨架して、一方向にスライドさせ得るガイド部（２）と、上記ガイド部（２）をその両側から挟みつつ上記ガイド部（２）の上記一方向における末端を超えて伸び、始端側では上記ガイド（２）に跨架された封筒（６）の袋部（６ｂ）及びフラップ部（６ａ）を導入可能に拡開し、終端側に向かうに連れて徐々に間隔が狭まって封筒（６）の重なり合った袋部（６ｂ）とフラップ部（６ａ）とを押圧するように形成された一対の押圧板（３，４）と、上記封筒（６）を上記ガイド（２）上で一方向にスライドさせる間に、上記封筒（６）の袋部（６ｂ）又はフラップ部（６ａ）に予め塗工された再湿糊部（７）に水を塗布する水塗布手段（５）とを包含してなる封緘装置を採用する。
【０００９】
請求項２に係る発明は、封筒（６）をその袋部（６ｂ）とフラップ部（６ａ）の折り曲げ箇所で跨架して、一方向にスライドさせ得るガイド（２）と、上記ガイド部（２）をその両側から挟みつつ上記ガイド（２）の上記一方向における末端を超えて伸び、始端側では上記ガイド（２）に跨架された封筒（６）の袋部（６ｂ）及びフラップ部（６ａ）を導入可能に拡開し、終端側に向かうに連れて徐々に間隔が狭まって封筒（６）の重なり合った袋部（６ｂ）とフラップ部（６ａ）とを押圧するように形成された一対の押圧板（３，４）と、上記封筒（６）を上記ガイド（２）上で一方向にスライドさせる間に、上記封筒（６）の袋部（６ｂ）又はフラップ部（６ａ）に封緘用糊を塗布する糊塗布手段とを包含してなる封緘装置を採用する。
【００１０】
請求項３に記載されるように、請求項１又は請求項２に記載の封緘装置において、上記一対の押圧板（３，４）を板バネで形成することができる。
【００１１】
請求項４に記載されるように、請求項１に記載の封緘装置において、上記水塗布手段（５）が保湿部（５ａ）を有し、この保湿部（５ａ）が上記一対の押圧板（３，４）の一方と上記ガイド（２）との間に配置され、上記ガイド部（２）上をスライドする封筒（６）の袋部（６ｂ）又はフラップ部（６ａ）の再湿糊部（７）に接触することにより、再湿糊部（７）に水が塗布されるようにしたものとすることができる。
【００１２】
請求項５に記載されるように、請求項２に記載の封緘装置において、上記糊塗布手段が糊塗布部を有し、この糊塗布部が上記一対の押圧板（３，４）の一方と上記ガイド部（２）との間に配置され、上記ガイド部（２）上をスライドする封筒（６）の袋部（６ｂ）又はフラップ部（６ａ）に接触することにより、封緘用糊が塗布されるようにしたものとすることができる。
【発明の効果】
【００１３】
本発明によれば、駆動部を省略することで封緘装置の構造及び大きさを簡略化することができ、卓上型として使用することができ、メンテナンスフリーとすることができる。また、各種大きさの封筒に合わせて装置の調整をすることなく使用することができるので、小ロット、多品種の封筒の封緘作業に好適である。
【図面の簡単な説明】
【００１４】
【図１】本発明に係る封緘装置の概略斜視図である。
【図２】図１に示す封緘装置の概略平面図である。
【図３】図２中、ＩＩＩ−ＩＩＩ線矢視断面図である。
【図４】図２中、ＩＶ−ＩＶ線矢視断面図である。
【図５】図２中、Ｖ−Ｖ線矢視断面図である。
【発明を実施するための形態】
【００１５】
以下、図面を参照して本発明を実施するための形態について説明する。
【００１６】
＜実施の形態１＞
図１及び図２に示すように、この封緘装置は、基台１上に、ガイド部２と、一対の押圧板３，４と、水塗布手段５とを備える。
【００１７】
ガイド部２は、図１（Ａ）（Ｂ）及び図２（Ａ）（Ｂ）に示すように、長方形の板で形成される。この長方形の板が、一長辺において基台１に接した状態で基台１上に垂直に固定される。そして、板の上側の水平方向に伸びる長辺が封筒６を案内するガイドとして使用される。
【００１８】
図１（Ａ）に示すように、封筒６のフラップ部６ａは予め袋部６ｂ側に折り曲げられている。また、袋部６ｂ内には図示しない内容物がすでに挿入され、フラップ部６ａには予め再湿糊部７が帯状に塗工されている。
【００１９】
なお、図１中、符号６ｃは透明フィルムで遮蔽された覗き窓を示す。
【００２０】
図１（Ａ）及び図２（Ａ）に示すように、作業者は、封筒６をその袋部６ｂとフラップ部６ａの折り曲げ箇所でガイド部２に跨架し、ガイド部２上を矢印で示す一方向にスライドさせることが可能である。図１中、符号９は封筒６の折り曲げ箇所を挟み持つ作業者の手を示す。
【００２１】
なお、ガイド部２は上記板に代えて線材で形成し、封筒６の袋部６ｂとフラップ部６ａの折り曲げ箇所を線材からなるガイド部２に跨架することも可能である。
【００２２】
一対の押圧板３，４は、望ましくは各々板バネで形成され、図１及び図２に示すように、ガイド部２の両側においてガイド部２に沿って伸びるように配置される。
【００２３】
基台１上には、ガイド部２を両側から挟むように二本の支持棒８が垂直に固定され、一対の押圧板３，４が各々始端側で各支持棒８に片持ち状に固定される。そして、一対の押圧板３，４は、図１乃至図５に示すように、各始端側からガイド部２を挟みつつガイド部２の上記一方向における末端を超えて伸びる。
【００２４】
また、一対の押圧板３，４は、各々の始端側では、図１乃至図３に示すように、ガイド部２に跨架された封筒６の袋部６ｂ及びフラップ部６ａを導入可能に拡開し、終端側に向かうに連れて徐々に間隔が狭まり、図５に示すように、終端側で封筒６の袋部６ｂとフラップ部６ａとを強く押圧することができるように重なり合う。
【００２５】
水塗布手段５は、図１、図２及び図４に示すように、保湿部５ａを有し、この保湿部５ａが上記一対の押圧板３，４のうち一方の押圧板３と上記ガイド部２との間に配置され、封筒６のフラップ部６ａの再湿糊部７に対向可能に設けられる。
【００２６】
保湿部６ａは、毛細管現象により水を吸収することができる材料で形成され、例えば不織布を巻回したものやスポンジで形成される。図１及び図４に示すように、保湿部６ａの下方の基台１上には水の貯留槽５ｂが設けられ、保湿部５ａがこの貯留槽５ｂ内へと伸びている。保湿部５ａは、貯留槽５ｂ内に溜められた水５ｃが毛細管現象により供給されることから常時湿潤状態に保持される。
【００２７】
図１及び図２に示すように、封筒６をガイド部２上で一方向にスライドさせると、ガイド部２上をスライドする封筒６のフラップ部６ａの再湿糊部７に図４のごとく保湿部５ａが接触し、再湿糊部７に水が塗布され、再湿糊部７の糊がタック性を帯びる。
【００２８】
なお、再湿糊部７が封筒６の袋部６ｂ側に形成されている場合は、保湿部５ａが上記一対の押圧板３，４のうち他方の押圧板４と上記ガイド部２との間に配置され、封筒６の袋部６ａの再湿糊部７に対向可能に設けられる。
【００２９】
再湿糊部７に水が塗布された封筒６は、ガイド部２から離脱した後、そのフラップ部６ａと袋部６ｂとが一対の押圧板３，４によって強く押圧される。これにより、フラップ部６ａは再湿糊部７の糊を介して袋部６ｂに接着され、封筒６の封緘が完了する。
【００３０】
次に、上記封緘装置の作用について説明する。
【００３１】
（１）図１（Ａ）に示すように、予め作業者によって封筒６のフラップ部６ａが袋部６ｂ側に折り曲げられる。袋部６ｂ内には図示しない内容物がすでに挿入されている。
【００３２】
図１（Ａ）及び図２（Ａ）に示すように、作業者が封筒６を手９で持ってその袋部６ｂとフラップ部６ａの折り曲げ箇所でガイド部２に跨架し、ガイド部２上を矢印で示す一方向にスライドさせる。
【００３３】
（２）封筒６をガイド部２上で一方向にスライドさせると、図１（Ｂ）、図２（Ｂ）及び図３に示すように、封筒６のフラップ部６ａが一方の押圧板３とガイド部２との間に侵入し、袋部６ｂが他方の押圧板４とガイド部２との間に侵入する。
【００３４】
（３）さらに封筒６をガイド部２上でスライドさせると、図１（Ｂ）及び図２（Ｂ）に示すように、封筒６のフラップ部６ａの再湿糊部７に図４のごとく保湿部５ａが接触し、再湿糊部７に水が塗布され、再湿糊部７の糊がタック性を生じる。
【００３５】
（４）再湿糊部７に水が塗布された封筒６は、ガイド部２を外れ、そのフラップ部６ａが袋部６ｂに対峙する。
【００３６】
（５）封筒６は作業者の手９によって支えられつつ一対の押圧板３，４間をその後端側へと送られる。そして、図５に示すように、一対の押圧板３，４の加圧力によって封筒６のフラップ部６ａが袋部６ｂに再湿糊部７の糊を介して接着され、これにより封筒６の封緘が完了する。
【００３７】
＜実施の形態２＞
この実施の形態２における封緘装置は、実施の形態１における封緘装置と同様な構成であるが、実施の形態１における水塗布手段５が糊塗布手段で代替される。
【００３８】
そして、実施の形態１における保湿部５ａが糊塗布部として用いられ、水の貯留槽５ｂが封緘用糊の貯留槽として用いられる。
【００３９】
封緘用糊としては、例えば水糊等の液状糊を使用することができる。
【００４０】
この実施の形態２の封緘装置によれば、封筒６をガイド部２上でスライドさせると、図１（Ｂ）及び図２（Ｂ）に示すように、封筒６のフラップ部６ａに図４のごとく糊塗布部が接触し、フラップ部６ａに封緘用糊である水糊がストライプ状に塗布される。水糊は、上記再湿糊部７と略同じ形状及び面積で塗布される。
【００４１】
水糊がフラップ部６ａに塗布された封筒６は、ガイド部２を外れ、そのフラップ部６ａが袋部６ｂに対峙する。封筒６は作業者の手９によって支えられつつ一対の押圧板３，４間をその後端側へと送られる。そして、図５に示すように、一対の押圧板３，４の加圧力によって封筒６のフラップ部６ａが袋部６ｂに貼着され、これにより封筒６の封緘が完了する。
【００４２】
なお、本発明は上記実施の形態に限定されるものではなく、本発明の要旨の範囲内において種々変更可能である。封緘処理することができる封筒も、図示例のものに限られるものではなく、各種形状、大きさの封筒について封緘処理可能である。
【符号の説明】
【００４３】
２…ガイド部
３，４…押圧板
５…水塗布手段
５ａ…保湿部
６…封筒
６ａ…フラップ部
６ｂ…袋部
７…再湿糊部
【図１】
2012045754.tif 000003
【図２】
2012045754.tif 000004
【図３】
2012045754.tif 000005
【図４】
2012045754.tif 000006
【図５】
2012045754.tif 000007